(57)【特許請求の範囲】
【請求項１】
動物の胴体に巻き付けて固定するための帯状の胴体固定用帯状部と、
前記胴体固定用帯状部の長辺に一端部が接続され、前記動物の排泄物を吸収する吸収体を保持する吸収体保持部と、
前記一端部とは反対側の他端部に、短辺が接続される２本の帯状の臀部固定用帯状部と、
前記胴体固定用帯状部と前記臀部固定用帯状部とを着脱可能に連結する連結部とを有し、
前記吸収体保持部は、前記他端部の前記臀部固定用帯状部が接続されている接続部の間に、半径が１ｃｍ以上４ｃｍ以下である円弧状の切り込みが形成されている切り込み部を有し、
前記臀部固定用帯状部の長手方向の長さに対する前記吸収体保持部の前記胴体固定用帯状部と前記臀部固定用帯状部とを結ぶ方向の長さの比が１以上２以下であり、
前記胴体固定用帯状部および前記臀部固定用帯状部は、それぞれの長手方向に伸縮性を有する布で形成され、
前記吸収体保持部は、前記胴体固定用帯状部と前記臀部固定用帯状部とを結ぶ方向に伸縮性を有する布で形成され、
前記吸収体保持部は、前記胴体固定用帯状部と前記臀部固定用帯状部とに渡る端部にギャザーが形成され、
前記吸収体には、短辺方向に延びる溝が形成され、
前記吸収体保持部の胴体固定用帯状部と臀部固定用帯状部とを結ぶ方向に直交する方向の幅に対する胴体固定用帯状部の長手方向の長さの比は、３．０以上５．０以下であり、
前記連結部は、雄部材と雌部材とを重ね合わせることで連結できるメカニカルテープからなり、
胴体固定用帯状部の長辺方向一端部の表側には、メカニカルテープの第１の雌部材が形成され、胴体固定用帯状部の長辺方向他端部の裏側には、メカニカルテープの第１の雄部材が設けられ、
胴体固定用帯状部の長辺方向他端部の表側には、メカニカルテープの第２の雌部材が設けられ、２本の臀部固定用帯状部には、吸収体保持部と接続される臀部固定用帯状部の長辺方向一端部とは反対側の長辺方向他端部の裏側にメカニカルテープの第２の雄部材がそれぞれ設けられ、
胴体固定用帯状部は、前記第１の雌部材と前記第１の雄部材とが連結されることによって、動物の骨盤より胴部側の胴体の一番細い場所に固定され、
吸収体保持部は、前記第２の雄部材のうち、一方の雄部材が、前記第２の雌部材の胴体固定用帯状部の長辺方向他端部側に連結され、他方の雄部材が、前記第２の雌部材の胴体固定用帯状部の長辺方向一端部側に、前記一方の雄部材が形成される臀部固定用帯状部と前記他方の雄部材が形成される臀部固定用帯状部とが交差するように連結され、
前記第２の雌部材は、胴体固定用帯状部を動物に固定すると、動物の背中側に配置され、
前記第２の雌部材の長辺方向の長さは、前記第２の雄部材の長辺方向の長さより長く、前記吸収体保持部の胴体固定用帯状部と臀部固定用帯状部とを結ぶ方向に直交する方向の幅と同程度の長さに形成されることを特徴とする動物用パンツ。
【発明の詳細な説明】
【技術分野】
【０００１】
本発明は、動物用パンツ、特に犬などのペットの生理用パンツに関するものである。
【背景技術】
【０００２】
近年、ペットとして、犬などの動物を飼うことが多くなり、室内で生活をともにするようになっている。そこで、たとえば、雌犬の場合、生理時に室内の汚損および臭気などが問題になっている。それらの対策として、たとえば、犬用のパンツが使用されている。
【０００３】
図８は、市販されている犬用のパンツ１０１を示す概略図である。このパンツ１０１は、いわゆるパンツ型と呼ばれるもので、後足を通す穴１０２が形成された布１０３を、犬の胴体に巻き付けて、犬の背中側で、布１０３を連結するためのホック、メカニカルテープおよびボタンなどの留め具１０４が形成されている。また、犬の腹部付近の胴体を締め付けるために、布１０３を連結することによって形成される開口部に、伸縮性のあるゴムバンドなどによって、伸縮部１０５が形成されている。
【０００４】
この犬用パンツ１０１は、穴１０２に犬の後足を挿入させて、犬の胴体に巻き付けて留め具１０４で布１０３を連結させることで、犬の臀部を覆うことができる。また、被着部位である性器が接するパンツ１０１内の位置に、生理用ナプキンなどの吸収体１０６を貼着させておくことで、血液などの排泄物を吸収させることができる。
【０００５】
しかしながら、この犬用パンツ１０１は、臀部などを広い範囲で覆っているので、通気性が悪く、さらに、股関節が出ないため、歩きにくく、犬が動き回るうちに、パンツ１０１がずれ、吸収体１０６と被着部位とが密着しなくなる。犬の生理は、人間の場合と異なり、排泄物としては、血液と尿とが混在しており、粘度が低い場合があるので、犬の生理用パンツは、吸収体と被着部位との密着性がより求められる。したがって、パンツ１０１がずれた場合、吸収体１０６と被着部位とが密着していないので、血液などが吸収体１０６に吸収されずにパンツ１０１外部に漏れてしまう。さらに、伸縮部１０５で締め付けることによって、密着させているので、窮屈なため犬が噛んで脱ごうとしてしまうことがある。さらに、犬の体型は様々であるので、犬種および大きさに合わせて、様々な形状のパンツを用意する必要がある。また、パンツ１０１を装着させる際、犬の後足を手でつかんで穴１０２に通す必要がある。このため、犬が装着を嫌がり、装着に長時間かかってしまう。
【０００６】
また、サスペンダをつけたパンツも販売されている。図９は、市販されている犬用のパンツ２０１を示す概略図である。この犬用のパンツ２０１は、上記のようなパンツ１０１に、サスペンダ２０２を付けたものである。サスペンダ２０２を付けることによって、犬の背骨方向にパンツ２０１がずれることや、犬が噛んで脱いでしまうことを防ぐことができる。
【０００７】
しかしながら、犬の背骨方向以外の方向にパンツ２０１がずれることを防ぐことはできないので、血液などの漏れを防ぐことができない。さらに、上記のパンツ１０１と同様、通気性が悪く、犬の体型に合わせた形状である必要があり、装着が困難である。また、サスペンダ２０２に金具２０３などを用いた場合、犬を傷つけてしまうおそれもある。
【０００８】
動物用のパンツとしては、上記のようなパンツ型以外のものも知られていおり、たとえば、いわゆるおむつ型のものがある。おむつ型の典型的な従来の技術は、特許文献１に記載されている。特許文献１の生理用パンツは、全体として砂時計形状をしたシート状部材から形成されている。このシート状部材は、装着状態において、ペットの腹側に当てられる腹側部分、ペットの背中側に当てられる背中側部分、ペットの後脚の間の股下部分に当てられる股下部分、腹側部分の左右の側縁部分を対応する背中側部分の左右の側縁部分に対して着脱可能に連結する連結部分を有し、連結部分によって腹側部分および背中側部分を連結することにより、前記股下部分の左右の側縁によって、ペットの後ろ脚用の脚抜き穴が形成されるようになっており、背中側部分に隣接する股下部分の位置には、ペットの尾抜き穴が形成されている。
【０００９】
このパンツは、犬に装着することによって、犬の臀部を覆うことができる。さらに、腹側部分と背中側部分とを連結させる位置を調節することによって、ある程度、犬の体型に応じた変化が可能である。しかしながら、上記のパンツ型と同様、犬の股関節が出ないため、犬が動くことによるパンツのずれを防止することは困難であり、さらに、通気性が悪いこと、適切なサイズのパンツを選択することが困難であることなどは、解決されていない。また、このパンツは、後足を穴に通す必要はないが、尻尾を尾抜き穴に通す必要があり、その尻尾を通す穴は、そこからの漏れを防止するために、尻尾の径に対して必要以上に大きく設計することはできないので、装着が困難である。
【００１０】
また、パンツ型およびおむつ型以外としては、たとえば、いわゆる包み型のものがある。包み型の典型的な従来の技術は、特許文献２に記載されている。特許文献２のペットの生理用パンツは、首・背および尻の一部を覆う主部と、尻の一部および股間を覆う股間覆部を上下に縦長に接続し、主部の両側外縁に接続して環状の腹部となると共に、その外面に股間覆部の下端を接続してパンツ体を構成し、主部の上縁に左右端が掛合して環状になる首バンドを接続する。
【００１１】
このパンツは、首から臀部まで覆っているので、パンツの外部に血液などが漏れることは少ない。しかしながら、首から臀部まで広く覆っているので、犬が動き回ることによって、パンツがずれやすい。さらに、通気性が非常に悪く、むれやすい。したがって、パンツがずれると、血液などが吸収体に吸収されずに、犬の腹部などに流れて、犬の腹部がかぶれたりする。また、尻尾を穴に通す必要があるので、装着が困難である。
【００１２】
【特許文献１】登録実用新案第３０１９２２３号公報
【特許文献２】実用新案登録第３０８２８５２号公報
【発明の開示】
【発明が解決しようとする課題】
【００１３】
以上のように、従来の動物用パンツによると、臀部を覆うことは可能であるが、パンツのずれを防止して、被着部位と吸収体との密着性を維持することは困難である。また、パンツを装着する際、後足または尻尾を穴に通す必要があるので、装着が困難である。
【００１４】
本発明の目的は、装着が容易で、体型の異なる動物に対しても柔軟に対応でき、動物が動きやすく、ずれにくい動物用パンツを提供することである。
【課題を解決するための手段】
【００１５】
本発明は、動物の胴体に巻き付けて固定するための帯状の胴体固定用帯状部と、
前記胴体固定用帯状部の長辺に一端部が接続され、前記動物の排泄物を吸収する吸収体を保持する吸収体保持部と、
前記一端部とは反対側の他端部に、短辺が接続される２本の帯状の臀部固定用帯状部と、
前記胴体固定用帯状部と前記臀部固定用帯状部とを着脱可能に連結する連結部とを有し、
前記吸収体保持部は、前記他端部の前記臀部固定用帯状部が接続されている接続部の間に、半径が１ｃｍ以上４ｃｍ以下である円弧状の切り込みが形成されている切り込み部を有し、
前記臀部固定用帯状部の長手方向の長さに対する前記吸収体保持部の前記胴体固定用帯状部と前記臀部固定用帯状部とを結ぶ方向の長さの比が１以上２以下であり、
前記胴体固定用帯状部および前記臀部固定用帯状部は、それぞれの長手方向に伸縮性を有する布で形成され、
前記吸収体保持部は、前記胴体固定用帯状部と前記臀部固定用帯状部とを結ぶ方向に伸縮性を有する布で形成され、
前記吸収体保持部は、前記胴体固定用帯状部と前記臀部固定用帯状部とに渡る端部にギャザーが形成され、
前記吸収体には、短辺方向に延びる溝が形成され、
前記吸収体保持部の胴体固定用帯状部と臀部固定用帯状部とを結ぶ方向に直交する方向の幅に対する胴体固定用帯状部の長手方向の長さの比は、３．０以上５．０以下であり、
前記連結部は、雄部材と雌部材とを重ね合わせることで連結できるメカニカルテープからなり、
胴体固定用帯状部の長辺方向一端部の表側には、メカニカルテープの第１の雌部材が形成され、胴体固定用帯状部の長辺方向他端部の裏側には、メカニカルテープの第１の雄部材が設けられ、
胴体固定用帯状部の長辺方向他端部の表側には、メカニカルテープの第２の雌部材が設けられ、２本の臀部固定用帯状部には、吸収体保持部と接続される臀部固定用帯状部の長辺方向一端部とは反対側の長辺方向他端部の裏側にメカニカルテープの第２の雄部材がそれぞれ設けられ、
胴体固定用帯状部は、前記第１の雌部材と前記第１の雄部材とが連結されることによって、動物の骨盤より胴部側の胴体の一番細い場所に固定され、
吸収体保持部は、前記第２の雄部材のうち、一方の雄部材が、前記第２の雌部材の胴体固定用帯状部の長辺方向他端部側に連結され、他方の雄部材が、前記第２の雌部材の胴体固定用帯状部の長辺方向一端部側に、前記一方の雄部材が形成される臀部固定用帯状部と前記他方の雄部材が形成される臀部固定用帯状部とが交差するように連結され、
前記第２の雌部材は、胴体固定用帯状部を動物に固定すると、動物の背中側に配置され、
前記第２の雌部材の長辺方向の長さは、前記第２の雄部材の長辺方向の長さより長く、前記吸収体保持部の胴体固定用帯状部と臀部固定用帯状部とを結ぶ方向に直交する方向の幅と同程度の長さに形成されることを特徴とする動物用パンツである。
【発明の効果】
【００２０】
本発明によれば、動物の胴体に巻き付けて固定するための帯状の胴体固定用帯状部と、胴体固定用帯状部の長辺に一端部が接続され、動物の排泄物を吸収する吸収体を保持する吸収体保持部と、一端部とは反対側の他端部に、短辺が接続される２本の帯状の臀部固定用帯状部と、胴体固定用帯状部と臀部固定用帯状部とを着脱可能に連結する連結部を有する動物用パンツである。
【００２１】
この動物用パンツは、帯状の胴体固定用帯状部を動物の胴体に巻き付けることによって、動物の胴体、たとえば、骨盤より頭部側の胴体の一番細くなっている場所に、しっかりと固定することができる。したがって、胴体固定用帯状部の長辺に接続されている吸収体保持部の一端部が、動物の胴体にしっかり固定される。
【００２２】
吸収体保持部の胴体固定用帯状部を接続させる一端部とは反対側の他端部に、短辺が接続される２本の帯状の臀部固定用帯状部を、連結部によって、胴体固定用帯状部に連結することによって、動物の性器を覆うように、吸収体保持部が固定される。
【００２３】
帯状の胴体固定用帯状部および臀部固定用帯状部で、吸収体保持部を動物に固定するので、動物の股関節を覆うことなく固定することができるので、動物は動きやすい。さらに、２本の帯状の臀部固定用帯状部を、互いに交差させて、胴体固定用帯状部に連結するので、吸収体保持部が動物の背骨方向に対して斜めの方向に引っ張られて固定される。したがって、吸収体保持部が動物の背骨方向に引っ張られているだけではなく、背骨方向に直交する方向にも引っ張られている状態で固定され、動物の股関節を覆うことなく固定されているので、動物が動き回ってもずれることがない。
【００２４】
吸収体保持部に動物の排泄物を吸収する吸収体を保持すると、吸収体の被着部位である性器に吸収体を密着させることができるので、血液などの排泄物を吸収体に吸収させることができる。また、動物が動き回っても、吸収体保持部がずれることがなく、吸収体の被着部位である性器に吸収体が密着したままであるので、血液などの排泄物を吸収体に確実に吸収させることができ、パンツの外部に漏らすことない。たとえば、犬の生理は、人間の場合と異なり、排泄物としては、血液と尿とが混在しており、粘度が低い場合があるので、犬の生理用パンツは、吸収体と被着部位との密着性がより求められる。このような犬の生理用パンツとして用いた場合であっても、血液などの排泄物を吸収体に確実に吸収させることができる。
【００２５】
また、２本の帯状の臀部固定用帯状部を、動物の尻尾を挟むように、互いに交差させて、胴体固定用帯状部に連結することによって、動物の後足および尻尾が通る穴が形成されるので、装着の際に、動物の後足および尻尾をパンツにあらかじめ形成されている穴に通す必要がないので、装着が容易である。
【００２６】
さらに、２本の帯状の臀部固定用帯状部を胴体固定用帯状部に連結させる位置を調節することによって、体型の異なる動物に対して柔軟に対応することができる。
【００２７】
以上より、この動物用パンツは、装着が容易で、体型の異なる動物に対しても柔軟に対応でき、動物が動きやすく、ずれにくい動物用パンツである。
【００２８】
また、吸収体保持部は、他端部の臀部固定用帯状部が接続されている接続部の間に、円弧状の切り込みが形成されている切り込み部を有し、その切り込みの半径が１ｃｍ以上４ｃｍ以下である。そうすると、２本の帯状の臀部固定用帯状部を、動物の尻尾を挟むように、互いに交差させて、胴体固定用帯状部に連結することによって、尻尾の径に適した穴が形成される。したがって、この形成された穴から血液などの排泄物が漏れ出すことがなくなったり、より装着しやすかったりするので、好ましい。
【００２９】
また、臀部固定用帯状部の長手方向の長さに対する吸収体保持部の胴体固定用帯状部と臀部固定用帯状部とを結ぶ方向の長さの比が、１以上２以下である。そうすると、２本の帯状の臀部固定用帯状部を、動物の尻尾を挟むように、互いに交差させて、胴体固定用帯状部に連結することによって形成される、動物の後足および尻尾が通る穴の位置、および胴体固定用帯状部で動物の胴体を固定する位置が、好ましい位置となる。
【００３０】
また、胴体固定用帯状部は、胴体固定用帯状部の長手方向に伸縮性を有する布で形成されているので、胴体固定用帯状部を動物の胴体に巻き付けることによって、動物の胴体をよりしっかり固定することができる。したがって、胴体固定用帯状部の長辺が接続されている吸収体保持部の一端部が、動物の胴体によりしっかり固定される。
【００３１】
また、吸収体保持部は、胴体固定用帯状部と臀部固定用帯状部とを結ぶ方向に伸縮性を有する布で形成され、臀部固定用帯状部は、臀部固定用帯状部の長手方向に伸縮性を有する布で形成されているので、吸収体保持部が、よりしっかり固定される。
【００３２】
また、吸収体保持部は、胴体固定用帯状部と臀部固定帯状部とに渡る端部にギャザーが形成されているので、吸収体保持部の吸収体と接触する内側に凹部を形成させ、吸収体を保持しやすくなる。また、胴体固定用帯状部と臀部固定用帯状部とを連結させたときに形成される後足が通る穴の周辺部に伸縮性をさらに有するようにすることができるので、この形成された穴から血液などの排泄物が漏れ出すことがなくなる。
また、吸収体には、短辺方向に延びる溝が形成されるので、血液および尿などの吸収性を高めることができる。
また、吸収体保持部の胴体固定用帯状部と臀部固定用帯状部とを結ぶ方向に直交する方向の幅に対する胴体固定用帯状部の長手方向の長さの比が、３．０以上５．０以下であるので、犬の大きさに関わらず、犬の体型に容易に合わせることができ、吸収体保持部をしっかりと固定することができる。
また、２本の帯状の臀部固定用帯状部を、互いに交差させて、胴体固定用帯状部に連結するので、吸収体保持部が動物の背骨方向に対して斜めの方向に引っ張られて固定される。したがって、吸収体保持部が動物の背骨方向に引っ張られているだけではなく、背骨方向に直交する方向にも引っ張られている状態で固定され、さらに、動物の股関節を覆うことなく固定されているので、動物が動き回ってもずれることがない。
また、吸収体保持部の幅は、犬の胴体の幅と同程度であるので、第２の雌部材は、犬の背中の幅方向を覆うように設けられる。したがって、第２の雄部材を第２の雌部材に連結する位置を様々な位置に調節することができるので、犬の骨格構造に容易に合わせることができ、吸収体保持部をしっかりと固定することができる。
【発明を実施するための最良の形態】
【００３３】
本発明は、動物用パンツであり、特に室内で飼われる犬などのペットの生理用パンツとして用いられる。本実施形態では、動物用パンツの一例として、犬の生理用パンツについて説明する。
【００３４】
図１は、本発明の実施の形態である犬用パンツ１１を表側の構成を示す概略図である。図２は、本発明の実施の形態である犬用パンツ１１を裏側の構成を示す概略図である。犬用パンツ１１は、雌犬の股間に装着され、生理時に排泄される血液などを吸収するために用いられる生理用パンツである。犬用パンツ１１は、装着したときに犬に接触する内側を裏側とし、外側を表側とする。
【００３５】
犬用パンツ１１は、胴体固定用帯状部１２と吸収体保持部１３と臀部固定用帯状部１４とを有する。胴体固定用帯状部１２は、帯状の布である。吸収体保持部１３は、動物の排泄物を吸収する吸収体１８を内側に保持する布であり、その一端部が胴体固定用帯状部１２の長辺に接続される。臀部固定用帯状部１４は、２本の帯状の布であり、それらの短辺が、吸収体保持部１３の胴体固定用帯状部１２が接続される一端部とは反対の他端部に接続される。胴体固定用帯状部１２と吸収体保持部１３と臀部固定用帯状部１４とは、それぞれ、別の布から形成されていてもよいし、同一の布から形成されていてもよい。本実施形態では、吸収体保持部１３と臀部固定用帯状部１４とは、同一の布から形成されており、胴体固定用帯状部１２は、吸収体保持部１３と臀部固定用帯状部１４とは別の布であり、吸収体保持部１３に縫い合わせて接続している。
【００３６】
胴体固定用帯状部１２、吸収体保持部１３および臀部固定用帯状部１４は、それぞれの周辺部１５，１６，１７に、伸縮性のある布が貼り付けられている。吸収体保持部１３の胴体固定用帯状部１２と臀部固定用帯状部１４とに渡る端部を縮めた状態で、吸収体保持部１３の周辺部１６に伸縮性のある布を貼り付けることによって、吸収体保持部１３の胴体固定用帯状部１２と臀部固定用帯状部１４とに渡る端部にギャザーが形成される。そうすることによって、吸収体保持部１３の吸収体１８と接触する内側に凹部を形成され、吸収体１８が保持しやすい形状となっている。
【００３７】
胴体固定用帯状部１２は、表側の長辺方向の第１端部に、メカニカルテープの雌部材２０が貼り付けられており、第１端部とは反対側の第２端部の裏側に、メカニカルテープの雄部材２１が貼り付けられている。メカニカルテープは、雄部材と雌部材とを着脱可能に連結することができればよく、雄部材と雌部材とを重ね合わせることで連結することができる。また、雄部材同士および雌部材同士は連結することができない。図３は、犬用パンツ１１の胴体固定用帯状部１２を犬の模型に固定している写真を示す図である。ここでは、犬の代わりに犬の模型を用いている。胴体固定用帯状部１２は、犬の胴体に巻き付けて、メカニカルテープの雌部材２０と雄部材２１とを連結することによって、図３に示すように、犬の胴体、たとえば、骨盤より頭部側の胴体の一番細い場所に、胴体固定用帯状部１２をしっかりと固定することができる。したがって、胴体固定用帯状部１２の長辺に接続されている吸収体保持部１３の一端部が、犬の胴体にしっかり固定される。雄部材２１の長辺方向の長さは、雌部材２０の長辺方向の長さより長くするほうが好ましい。そうすることによって、雌部材２０を雄部材２１に連結する位置を調節することによって、犬の体型に合わせることができるので、胴体固定用帯状部１２をよりしっかりと固定することができる。本実施形態では、雄部材２１の長辺方向の長さを１０ｃｍとし、雌部材２０の長辺方向の長さは、５ｃｍとした。
【００３８】
胴体固定用帯状部１２は、第２端部の表側に、メカニカルテープの雌部材２３が貼り付けられており、臀部固定用帯状部１４は、吸収体保持部１３と接続されている端部とは、長辺方向の反対側の端部の裏側に、メカニカルテープの雄部材２４ａ，２４ｂが貼り付けられている。図４は、犬用パンツ１１を装着した犬の模型を横から見た写真を示す図である。図５は、犬用パンツ１１を装着した犬の模型を尻尾側から見た写真を示す図である。図６は、犬用パンツ１１を装着した犬の模型を上から見た写真を示す図である。ここでは、犬の代わりに犬の模型を用いている。胴体固定用帯状部１２に貼り付けられている雌部材２３は、胴体固定用帯状部１２を犬の胴体に固定すると、犬の背中側に配置される。臀部固定用帯状部１４ａに貼り付けられているメカニカルテープの雄部材２４ａを雌部材２３の第２端部側に連結させ、臀部固定用帯状部１４ｂを臀部固定用帯状部１４ａと交差させて、臀部固定用帯状部１４ｂに貼り付けられているメカニカルテープの雄部材２４ｂを雌部材２３の吸収体保持部１３側に連結させる。そうすることによって、図４〜６に示すように、犬の性器を覆うように、吸収体保持部１３が固定される。メカニカルテープの雄部材２４および雌部材２３は、胴体固定用帯状部１２と臀部固定用帯状部１４とを着脱可能に連結する連結部に相当する。
【００３９】
また、帯状の胴体固定用帯状部１２と臀部固定用帯状部１４とを連結させることによって、吸収体保持部１３を固定するので、図４〜６に示すように、犬の股関節を覆うことなく、吸収体保持部１３を固定することができる。したがって、犬は、犬用パンツ１１に動きが邪魔されることがないので、犬用パンツ１１を装着しても動きやすい。
【００４０】
さらに、２本の帯状の臀部固定用帯状部１４ａ，１４ｂを、互いに交差させて、胴体固定用帯状部１２に連結するので、吸収体保持部１３が犬の背骨方向に対して斜めの方向に引っ張られて固定される。したがって、吸収体保持部１３が犬の背骨方向に引っ張られているだけではなく、背骨方向に直交する方向にも引っ張られている状態で固定され、さらに、犬の股関節を覆うことなく固定されているので、犬が動き回ってもずれることがない。
【００４１】
吸収体保持部１３には、犬の排泄物を吸収する吸収体１８が保持されているので、吸収体１８の被着部位である性器に吸収体１８が密着させることができ、血液などの排泄物を吸収体１８に吸収させることができる。また、犬が動き回っても、吸収体保持部１３がずれることがなく、吸収体１８の被着部位である性器に吸収体１８が密着したままであるので、血液などの排泄物を吸収体１８に確実に吸収させることができ、パンツ１１の外部に漏らすことない。たとえば、犬の生理は、人間の場合と異なり、排泄物としては、血液と尿とが混在しており、粘度が低い場合があるので、犬の生理用パンツ１１は、吸収体１８と被着部位との密着性がより求められるが、血液などの排泄物を吸収体１８に確実に吸収させることができるので、犬の生理用パンツとして用いることができる。
【００４２】
また、２本の帯状の臀部固定用帯状部１４ａ，１４ｂを、犬の尻尾を挟むように、互いに交差させて、胴体固定用帯状部１２に連結することによって、図４〜６に示すように、犬の後足および尻尾が通る穴が形成されるので、装着の際に、犬の後足および尻尾をパンツにあらかじめ形成されている穴に通す必要がないので、装着が容易である。また、キャザーが形成されている周辺部１６で、後足が通る穴が形成されるので、周辺部１６と犬の後足の密着性が高まり、この後足が通る穴から血液などの排泄物が漏れ出すことがなくなる。
【００４３】
さらに、２本の帯状の臀部固定用帯状部１４ａ，１４ｂを胴体固定用帯状部１２に連結させる位置を調節することによって、体型の異なる動物に対して柔軟に対応することができる。雌部材２３の長辺方向の長さは、雄部材２４の長辺方向の長さより長く、吸収体保持部１３の幅と同程度の長さにするほうが好ましい。吸収体保持部１３の幅は、胴体固定用帯状部１２と臀部固定用帯状部１４とを結ぶ方向に直交する方向の幅である。そうすることによって、吸収体保持部１３の幅は、犬の胴体の幅と同程度であるので、雌部材２３は、犬の背中の幅方向を覆うように設けられる。したがって、雄部材２４を雌部材２３に連結する位置を様々な位置に調節することができるので、犬の骨格構造に容易に合わせることができ、吸収体保持部１３をしっかりと固定することができる。本実施形態では、吸収体保持部１３の幅は、１０ｃｍまたは１１ｃｍとし、雌部材２３の長辺方向の長さを１０ｃｍとし、雄部材２４の長辺方向の長さは、４ｃｍとした。
【００４４】
以上より、この犬用パンツ１１は、装着が容易で、体型の異なる動物に対しても柔軟に対応でき、動物が動きやすく、ずれにくい犬用パンツである。
【００４５】
吸収体保持部１３は、臀部固定用帯状部１４ａが接続されている接続部と臀部固定用帯状部１４ｂが接続されている接続部との間の端部に、円弧状の切り込みが形成されている切込み部が形成されている。そうすることによって、２本の帯状の臀部固定用帯状部１４ａ，１４ｂを、互いに交差させて、胴体固定用帯状部１２に連結することによって、尻尾の径に適した穴が形成される。また、体重が１ｋｇ以上５ｋｇ以下で胴回りが１８ｃｍ以上３５ｃｍ以下の犬の場合、その切り込みの半径Ｒが１ｃｍ以上４ｃｍ以下であることが好ましい。より好ましくは１ｃｍ以上３ｃｍ以下である。そうすることによって、尻尾の径に適した穴が形成され、この形成された穴から血液などの排泄物が漏れ出すことがない。さらに、尻尾の径に適した穴が形成されるので、装着させやすい。たとえば、体重が１ｋｇ以上３ｋｇ以下であって、胴回りが１８ｃｍ以上３０ｃｍ以下の犬用パンツでは、半径Ｒが２ｃｍとする。また、体重が３ｋｇ以上５ｋｇ以下であって、胴回りが２１ｃｍ以上３５ｃｍ以下の犬用パンツでは、半径Ｒが２．５ｃｍとする。
【００４６】
また、臀部固定用帯状部１４の長手方向の長さに対する吸収体保持部１３の胴体固定用帯状部１２と臀部固定用帯状部１４とを結ぶ方向の長さの比が、１以上２以下であることが好ましい。より好ましくは、１．１以上１．７以下が好ましい。そうすると、２本の帯状の臀部固定用帯状部１４を、犬の尻尾を挟むように、互いに交差させて、胴体固定用帯状部に連結することによって形成される、犬の後足および尻尾が通る穴の位置、および胴体固定用帯状部１２で犬の胴体を固定する位置が、好ましい位置となる。たとえば、体重が１ｋｇ以上３ｋｇ以下であって、胴回りが１８ｃｍ以上３０ｃｍ以下の犬用パンツでは、臀部固定用帯状部１４の長手方向の長さが１０ｃｍ、吸収体保持部１３の胴体固定用帯状部１２と臀部固定用帯状部１４とを結ぶ方向の長さが１５ｃｍとし、臀部固定用帯状部１４の長手方向の長さに対する吸収体保持部１３の胴体固定用帯状部１２と臀部固定用帯状部１４とを結ぶ方向の長さの比が１．５である。また、体重が３ｋｇ以上５ｋｇ以下であって、胴回りが２１ｃｍ以上３５ｃｍ以下の犬用パンツでは、臀部固定用帯状部１４の長手方向の長さが１０．５ｃｍ、吸収体保持部１３の胴体固定用帯状部１２と臀部固定用帯状部１４とを結ぶ方向の長さが１６．５ｃｍとし、臀部固定用帯状部１４の長手方向の長さに対する吸収体保持部１３の胴体固定用帯状部１２と臀部固定用帯状部１４とを結ぶ方向の長さの比が約１．６である。
【００４７】
吸収体保持部１３の幅に対する胴体固定用帯状部１２の長手方向の長さの比が、３．０以上５．０以下であることが好ましい。より好ましくは、３．０以上４．０以下である。そうすると、胴体固定用帯状部１２を犬の胴体に巻きつけ固定したときに、犬の大きさに関わらず、雌部材２３の位置が、犬の背中の幅方向を充分に覆うような位置になるので、雄部材２４を雌部材２３に連結する位置を様々な位置に調節することができる。したがって、犬の大きさに関わらず、犬の体型に容易に合わせることができ、吸収体保持部１３をしっかりと固定することができる。たとえば、体重が１ｋｇ以上３ｋｇ以下であって、胴回りが１８ｃｍ以上３０ｃｍ以下の犬用パンツでは、吸収体保持部１３の幅が１０ｃｍ、胴体固定用帯状部１２の長手方向の長さが３５ｃｍとし、吸収体保持部１３の幅に対する胴体固定用帯状部１２の長手方向の長さの比が３．５である。また、体重が３ｋｇ以上５ｋｇ以下であって、胴回りが２１ｃｍ以上３５ｃｍ以下の犬用パンツでは、吸収体保持部１３の幅が１１ｃｍ、胴体固定用帯状部１２の長手方向の長さが４０ｃｍとし、吸収体保持部１３の幅に対する胴体固定用帯状部１２の長手方向の長さの比が約３．６である。
【００４８】
胴体固定用帯状部１２は、長辺方向に伸縮性を有する布で形成されている。したがって、胴体固定用帯状部１２を引き伸ばして伸張状態で、犬の胴体に巻き付けることができるので、犬の胴体にしっかり固定することができる。さらに、胴体固定用帯状部１２の長辺を縮めた状態で、胴体固定用帯状部１２の周辺部１５に伸縮性のある布を貼り付けることによって、胴体固定用帯状部１２の長辺にギャザーが形成される。そうすることによって、胴体固定用帯状部１２の長辺方向に伸縮性を有することができる。したがって、胴体固定用帯状部１２を引き伸ばして伸張状態で、犬の胴体に巻き付けることができるので、犬の胴体にしっかり固定することができる。
【００４９】
吸収体保持部１３は、胴体固定用帯状部１２と臀部固定用帯状部１４とを結ぶ方向に伸縮性を有する布で形成され、臀部固定用帯状部１４は、臀部固定用帯状部１４の長手方向に伸縮性を有する布で形成されているので、吸収体保持部１３が、よりしっかり固定される。
【００５０】
胴体固定用帯状部１２、吸収体保持部１３および臀部固定用帯状部１４は、たとえば、合成繊維および再生繊維からなるニットなどの布を用いることができる。本実施形態では、綿４３％、ポリエステル５７％の混紡された繊維からなるニット（Ｔ／Ｃ４０パイルボーダー、オーミケンシ社製）を使用した。吸収体保持部１３および臀部固定用帯状部１４は、上記の布の吸収体１８と接触する内側に、抗菌性および消臭性を有する布を重ねて構成される。吸収体１８と接触する内側の布が、抗菌性および消臭性を有する布であるので、血液および尿などの排泄物によるにおいの発生などを防ぐことができる。本実施形態では、抗菌性および消臭性を有する布として、キチン・キトサンと綿の混紡された繊維であるクラビオンコットンからなるニット（クラビオン３０天竺、オーミケンシ社製）を使用した。
【００５１】
図７は、吸収体１８を示す概略図である。図７（ａ）は、吸収体１８の上面を示す外観図であり、図７（ｂ）は、図７（ａ）の吸収体１８の切断面線Ａ−Ａ’から見た断面図である。吸収体１８は、図７（ａ）に示すように、中央部が細くなっている、いわゆる、砂時計形状をしている。吸収体１８の大きさは、犬用パンツのサイズによって異なり、たとえば、体重が１ｋｇ以上３ｋｇ以下であって、胴回りが１８ｃｍ以上３０ｃｍ以下の犬用パンツでは、吸収体１８として、長辺方向の長さＬが１４．５ｃｍ、短辺方向の長さＷが６ｃｍ、飽和吸収量３０ｃｃの生理用パッドを用いる。また、体重が３ｋｇ以上５ｋｇ以下であって、胴回りが２１ｃｍ以上３５ｃｍ以下の犬用パンツでは、吸収体１８として、長辺方向の長さＬが１８ｃｍ〜１９ｃｍ、短辺方向の長さＷが１０ｃｍ、飽和吸収量５０ｃｃの生理用パッドを用いる。また、吸収体１８は、血液および尿などの吸収性を高めるために、短辺方向に延びる溝３０が形成されている。
【００５２】
また、吸収体１８は、図７（ｂ）に示すように、パルプ３１に、吸収性高分子化合物３２が混合された材料をシート状に形成し、厚み方向上方および下方から吸収紙３３で挟み、さらに、厚み方向上方から不織布３４、厚み方向下方から高分子フィルム３５で挟むことによって形成される。さらに、高分子フィルム３５の厚み方向下方に、粘着層３６を貼付されている。不織布３４は、透液性があり、血液および尿などを透過させることができる不織布を用いることができる。吸収紙３３は、血液および尿などの液体を吸収して、その液体を吸収体１８全体に拡散できればよく、たとえば、ティッシュなどを用いることができる。吸収性高分子化合物３２は、血液および尿などを吸収してゲル状に固化させる高分子化合物であり、たとえばデンプン‐アクリル酸（塩）グラフト共重合体のケン化物、ナトリウムカルボキシメチルセルロースの架橋物、アクリル酸（塩）重合体などを用いることできる。したがって、パルプ３１に、吸収性高分子化合物３２が混合された材料で、血液および尿などを保持することができる。高分子フィルム３５は、不透液性を有し、パルプ３１に、吸収性高分子化合物３２が混合された材料に保持された血液および尿などを吸収体１８外部に漏れ出さないようにすることができ、たとえば、ポリエチレンフィルムを用いることができる。粘着層３６は、粘着性を有し、犬用パンツ１１の吸収体保持部１３に着脱可能に吸収体１８を貼り付けることによって保持させることができる。このような粘着層３６を有する吸収体１８を吸収体保持部１３に貼り付けた犬用パンツ１１は、犬が動き回っても、吸収体１８がずれることがないので、血液および尿などがパンツ１１外部に漏れだすことがない。
【００５３】
本実施形態は、犬に使用する犬用パンツについて説明したが、犬に限らず、動物用のパンツとして用いることができる。特に尻尾のある動物に好ましく用いることができる。
【図面の簡単な説明】
【００５４】
【図１】本発明の実施の形態である犬用パンツ１１を表側の構成を示す概略図である。
【図２】本発明の実施の形態である犬用パンツ１１を裏側の構成を示す概略図である。
【図３】犬用パンツ１１の胴体固定用帯状部１２を犬の模型に固定している写真を示す図である。
【図４】犬用パンツ１１を装着した犬の模型を横から見た写真を示す図である。
【図５】犬用パンツ１１を装着した犬の模型を尻尾側から見た写真を示す図である。
【図６】犬用パンツ１１を装着した犬の模型を上から見た写真を示す図である。
【図７】吸収体１８を示す概略図である。
【図８】市販されている犬用のパンツ１０１を示す概略図である。
【図９】市販されている犬用のパンツ２０１を示す概略図である。
【符号の説明】
【００５５】
１１，１０１，２０１  犬用パンツ
１２  胴体固定用帯状部
１３  吸収体保持部
１４  臀部固定用帯状部
１５，１６，１７  周辺部
１８，１０６  吸収体１８
２０，２３  雌部材
２１，２４  雄部材
３０  溝
３１  パルプ
３２  吸収性高分子化合物
３３  吸収紙
３４  不織布
３５  高分子フィルム
３６  粘着層
１０２  穴
１０３  布
１０４  留め具
１０５  伸縮部
２０２  サスペンダ
２０３  金具
【図１】
0004669783.tif 000002
【図２】
0004669783.tif 000003
【図３】
0004669783.tif 000004
【図７】
0004669783.tif 000005
【図８】
0004669783.tif 000006
【図９】
0004669783.tif 000007
【図４】
0004669783.tif 000008
【図５】
0004669783.tif 000009
【図６】
0004669783.tif 000010